(57)【要約】【課題】  初回の湯張り動作から正確な足し湯制御を行うことができるようにする。うことができるようにする。【解決手段】  湯張り終了時点で記憶される湯張り完了水位が、湯張り完了前に入浴されることにより、通常より高い水位で誤検知された場合でも、湯張り完了後の検出水位低下を監視することで、湯張り完了水位が人の入浴により誤検出されたことを検知することができる。そして水位低下後の安定水位を湯張り完了水位として更新し、その後の足し湯制御を行うことで、初回の湯張り動作から正確な足し湯制御を行うことができる。【選択図】        図１
2006057884.tif 000002
【特許請求の範囲】
【請求項１】
浴槽へ給湯可能な給湯手段と、前記給湯手段の動作を制御する給湯制御手段と、前記浴槽の水位を検出する水位検出手段と、その水位検出手段で得られる検出水位を記憶する記憶手段と、タイマ機能を有する制御装置とを備え、前記給湯手段による前記浴槽への湯張り終了時に前記水位検出手段による検出水位を湯張り完了水位として記憶し、前記浴槽の水位が前記湯張り完了水位から低下した場合には、前記給湯制御手段が前記給湯手段を動作させて足し湯を行う風呂給湯機において、
前記湯張り終了後に前記検出水位が所定時間内に所定量以上低下した場合、前記制御装置は水位低下後の前記検出水位を湯張り完了水位として更新し、その更新した完了水位を基に足し湯を行うことを特徴とする風呂給湯機。
【請求項２】
制御装置は、
初回湯張り時には、その初回湯張り終了後にその検出水位が所定時間内に所定量以上低下した場合、その水位低下後の検出水位を湯張り完了水位として足し湯を行い、
２回目以降の湯張り時には、その２回目以降湯張り終了時に記憶した湯張り完了水位を、前回の湯張り終了時に得られた前回湯張り完了水位または初回の湯張り終了時に得られた初回湯張り完了水位と比較し、前記２回目以降湯張り終了時に記憶した湯張り完了水位が所定量以上大きく、かつ該２回目以降の湯張り終了後にその検出水位が一定時間内に一定量以上低下した場合、その水位低下後の検出水位を湯張り完了水位として更新し、その更新した完了水位を基に足し湯を行うことを特徴とする請求項１記載の風呂給湯機。
【請求項３】
制御装置は、
２回目以降の湯張り時における検出水位低下により湯張り完了水位を更新した場合、それ以降に検出水位の低下を再検出しても、前記更新した湯張り完了水位の再更新は行わないことを特徴とする請求項２記載の風呂給湯機。
【請求項４】
制御装置は、
前記検出水位の低下検出を、風呂湯張り終了後、予め設定された水位監視時間内のみ許可し、水位監視時間経過後に検出水位の低下検出を行っても、湯張り完了水位の更新を行わないことを特徴とする請求項３記載の風呂給湯機。
【発明の詳細な説明】
【技術分野】
【０００１】
本発明は、浴槽へ給湯可能な給湯手段を備えた風呂給湯機に関するものである。
【背景技術】
【０００２】
従来の風呂給湯機においては、浴槽の水位を検出する圧力センサ等の水位検出手段が設けられており、浴槽への湯張り終了時に水位検出手段で得られる検出水位を前回湯張り完了水位または初回の湯張り完了水位と比較し、今回の検出水位が所定量以上大きい場合は、前回湯張り完了水位または初回湯張り完了水位を湯張り完了水位として、足し湯制御を実行している（例えば特許文献1参照）。
【０００３】
【特許文献１】特開２００１−２１５０５４号公報（第２〜５頁、第１〜５図）
【発明の開示】
【発明が解決しようとする課題】
【０００４】
従来の風呂給湯機においては、前述のように湯張り終了時の検出水位を、前回湯張り完了水位または初回湯張り完了水位と比較し、所定量以上大きい場合には前回湯張り完了水位または初回湯張り完了水位を湯張り完了水位として足し湯制御を行うが、例えば初回の湯張り途中で人が入浴した場合には、水位が一時的に上昇し、この水位を湯張り完了水位として誤認識してしまう。そして、その湯張り完了水位に対して足し湯制御が行われるため、湯張り完了水位と実際の水位との間にズレが生じ、浴槽水位が異常に上昇したり、溢れたりする。また、次回の湯張り途中で人が入浴した場合も、湯張り終了時点での検出水位が初回または前回の湯張り完了水位と比較され、所定量以上大きい場合にも、誤認識した初回または前回の湯張り完了水位を基準にして足し湯制御が行われるため、湯張り完了水位と実際の水位との間にズレが生じ、浴槽水位が異常に上昇したり、溢れたりする。
【０００５】
本発明の技術的課題は、初回の湯張り動作から正確な足し湯制御を行うことができるようにすることにある。
【課題を解決するための手段】
【０００６】
本発明に係る風呂給湯機は、浴槽へ給湯可能な給湯手段と、給湯手段の動作を制御する給湯制御手段と、浴槽の水位を検出する水位検出手段と、その水位検出手段で得られる検出水位を記憶する記憶手段と、タイマ機能を有する制御装置とを備え、給湯手段による浴槽への湯張り終了時に水位検出手段による検出水位を湯張り完了水位として記憶し、浴槽の水位が湯張り完了水位から低下した場合には、給湯制御手段が給湯手段を動作させて足し湯を行う風呂給湯機において、湯張り終了後に検出水位が所定時間内に所定量以上低下した場合、制御装置は水位低下後の検出水位を湯張り完了水位として更新し、その更新した完了水位を基に足し湯を行うものである。
【発明の効果】
【０００７】
本発明では、湯張り終了時点で記憶される湯張り完了水位が、湯張り完了前に入浴されることにより、通常より高い水位で誤検知された場合でも、湯張り完了後の検出水位低下を監視することで、湯張り完了水位が人の入浴により誤検出されたことを検知することができ、正常の湯張り完了水位値に戻すことが可能となる。このため、自動足し湯制御により、浴槽水位が異常に上昇したり、溢れたりすることを防止できる。
【発明を実施するための最良の形態】
【０００８】
実施の形態１．
図１は本発明の実施の形態１に係る風呂給湯器の制御回路を示すブロック図、図２はそのシステム構成図である。
【０００９】
本実施形態の風呂給湯器は、図２に示すように、給水管１から給湯手段である貯湯槽２に水が供給される。貯湯槽２は、水または温水を貯留するもので、内部に水を加熱するための第１発熱体３及び第２発熱体４が設置されている。また、貯湯槽２の外壁面には、貯湯槽２内の水または温水の温度を検知するための第１温度センサ５及び第２温度センサ６が取り付けられている。また、貯湯槽２の上部に接続された配管系には、貯湯槽内を加熱したとき、膨張水を逃がすための逃し弁７が設けられている。
【００１０】
本風呂給湯器のシステムは、タイマ機能およびメモリ（記憶手段）を有する制御装置８により制御され、風呂湯張り湯温・湯量および風呂自動時間等の設定（変更）を、操作部９にて行えるようになっている。
【００１１】
水源から給水された水と貯湯槽２内の温水は、給湯制御手段である第１湯水混合弁１０により混合されて、一般給湯配管１３から台所等の蛇口へ給湯されるようになっている。一般給湯配管１３には、温水がこの配管内を流れていることを検出する第１流量センサ１１と、第１湯水混合弁１０で混合された後の温水の温度を検知する第３温度センサ１２が設けられている。
【００１２】
また、水源から給水された水と貯湯槽２内の温水は、給湯制御手段である第２湯水混合弁１４により混合され、電磁弁１５を介して浴槽２７へ給湯されるようになっている。また、給湯制御手段である電磁弁１５から先の配管系内には、温水が第１風呂配管２４及び第２風呂配管２５を流れていることを検出する第２流量センサ１６と、第２湯水混合弁１４で混合された後の温水の温度を検知する第４温度センサ１７と、浴槽２７から第１風呂配管２４及び第２風呂配管２５を経て浴槽２７へ湯を循環させるための循環ポンプ１９と、循環ポンプ１９を動作させることにより循環される温水の温度を検知する第５温度センサ１８と、第２風呂配管２５への給湯を閉止する二方弁２０と、浴槽湯の水位を検出する水位センサ２１とが設けられている。浴槽２７と第１風呂配管２４及び第２風呂配管２５とは浴槽アダプタ２６により接続されている。
【００１３】
次に、本実施形態の動作について図３及び図４のフローチャートに基づき図１及び図２を参照しながら説明する。風呂湯張り動作から湯張り終了後の自動保温および自動足し湯動作までを行う風呂自動動作が操作部９にて設定されると（ステップＳ１０１）、操作部９にて予め設定された風呂湯張り湯温Ｔｙになるよう第２湯水混合弁１４を動作させ、電磁弁１５をＯＮ（開弁）する（ステップＳ１０２）。次いで、操作部９にて予め設定された風呂湯張り湯量Ｑsetと第２流量センサ１６にて検出した積算湯量Ｑｙとを比較し（ステップＳ１０３）、Ｑｙ≧Ｑsetであれば、電磁弁１５をＯＦＦ（閉弁）する（ステップＳ１０４）。電磁弁１５をＯＦＦ後、水位センサ２１の検出水位を湯張り完了水位Ｈとして決定し（ステップＳ１０５）、決定した完了水位Ｈをメモリ（記憶手段）に記憶し、浴槽２７内のお湯が完了水位Ｈより減った場合には自動足し湯を行い、湯温が低下した場合には自動保温を行う動作へ移行し、風呂自動時間をカウントするタイマをスタートさせる（ステップＳ１０６）。
【００１４】
ステップＳ１０６にて風呂自動時間タイマがカウントを開始すると、操作部９にて予め設定された風呂自動時間（例えば１〜８時間）が経過したかを判断し（ステップＳ１０７）、設定風呂自動時間が経過していれば、風呂自動処理を終了する。また、ステップＳ１０７にて風呂自動時間が設定風呂自動時間を超えていないと判定されれば、保温動作タイマをスタートさせる（ステップＳ１０８）。その後、水位センサ２１が検出している現在検出水位Ｈａを保温動作前水位Ｈ１へ代入し（ステップＳ１０９）、循環ポンプ１９をＯＮする（ステップＳ１１０）。循環ポンプ１９が動作を開始すると、操作部９にて予め設定された風呂湯張り湯温Ｔｙと第５温度センサ１８が検出した浴槽湯温Ｔｉとを比較し（ステップＳ１１１）、Ｔｙ＞Ｔｉであれば、保温ヒータ機能をもつ第３発熱体２３をＯＮする（ステップＳ１１２）。その後、設定された風呂湯張り湯温Ｔｙと検出した浴槽湯温Ｔｉとを再度比較し（ステップＳ１１３）、Ｔｉ≧Ｔｙでなければ、ステップＳ１０８にてスタートさせた保温動作タイマが所定時間Ａ（例えば１０分）を経過していないか判断し（ステップＳ１１４）、経過していなければステップＳ１１３に戻り、経過していればステップＳ１１５に進む。また、ステップＳ１１３にてＴｉ≧Ｔｙとなったと判定された場合もステップＳ１１５に進む。
【００１５】
ステップＳ１１５では第３発熱体２３をＯＦＦする。次いで、循環ポンプ１９をＯＦＦし（ステップＳ１１６）、その後、ステップＳ１１７に進む。また、ステップＳ１１１にてＴｙ＞Ｔｉでないと判定されれば、第３発熱体２３をＯＮすることなく処理をステップＳ１１６に移し、循環ポンプ１９をＯＦＦ後、ステップＳ１１７へ移行する。
【００１６】
ステップＳ１１７では循環ポンプをＯＦＦ後の浴槽２７内湯面の変動を考慮し、水位安定時間（例えば４５秒）の経過待ちを行う。ステップＳ１１７にて水位安定時間が経過したと判定されれば、保温動作前水位Ｈ１と水位センサ２１が検出している現在検出水位Ｈａとを比較し（ステップＳ１１８）、現在検出水位Ｈａが保温動作前水位Ｈ１よりｘｃｍ（例えば５ｃｍ）以上低下している、つまり（Ｈ１−ｘ）≧Ｈａと判定されれば、次に湯張り完了水位Ｈと水位センサ２１が検出している現在検出水位Ｈａとを比較する（ステップＳ１１９）。ステップＳ１１９にて現在検出水位Ｈａが湯張り完了水位Ｈよりｘｃｍ（例えば５ｃｍ）以上低下している、つまり（Ｈ−ｘ）≧Ｈａと判定されれば、現在検出水位Ｈａを湯張り完了水位Ｈとして更新し（ステップＳ１２０）、ステップＳ１０７に戻る。
【００１７】
また、ステップＳ１１８にて現在検出水位Ｈａが保温動作前水位Ｈ１よりｘｃｍ（５ｃｍ）以上低下していないと判定された場合や、ステップＳ１１９にて現在検出水位Ｈａが湯張り完了水位Ｈよりｘｃｍ（５ｃｍ）以上低下していないと判定された場合は、水位センサ２１が検出している現在検出水位Ｈａを前回検出水位Ｈｂへ代入し（ステップＳ１２１）、足し湯待ちタイマをスタートさせる（ステップＳ１２２）。
【００１８】
ステップＳ１２２にて足し湯待ちタイマがカウントを開始すると、操作部９にて予め設定された足し湯待ち時間Ｂ（例えば１０分）が経過したかを判断し（ステップＳ１２３）、経過していないと判定されれば、水位センサ２１が検出している現在検出水位Ｈａと前回検出水位Ｈｂとを比較し（ステップＳ１２４）、現在検出水位Ｈａが前回検出水位Ｈｂより低下していない、つまりＨｂ≦Ｈａと判定されれば、水位センサ２１が検出している現在検出水位Ｈａを前回検出水位Ｈｂへ代入し（ステップＳ１２５）、ステップＳ１２３に戻る。また、ステップＳ１２３にて足し湯待ち時間Ｂ（１０分）が経過したと判定されれば、ステップＳ１０７に戻る。
【００１９】
また、ステップＳ１２４にて現在検出水位Ｈａが前回検出水位Ｈｂより低下している、つまりＨｂ＞Ｈａと判定されれば、水位センサ２１が検出している現在検出水位Ｈａを変動開始水位Ｈｓへ代入し（ステップＳ１２６）、水位低下検出タイマをスタートさせる（ステップＳ１２７）。
【００２０】
ステップＳ１２７にて水位低下検出タイマがカウントを開始すると、水位低下検出タイマが所定時間ｙ（例えば５秒）を経過していないか判断し（ステップＳ１２８）、経過していなければ、変動開始水位Ｈｓと水位センサ２１が検出している現在検出水位Ｈａとを比較し（ステップＳ１２９）、現在検出水位Ｈａが変動開始水位Ｈｓよりｘｃｍ（例えば５ｃｍ）以上低下していないと判定されれば、ステップＳ１２８に戻る。また、ステップＳ１２９にて現在検出水位Ｈａが変動開始水位Ｈｓよりｘｃｍ（例えば５ｃｍ）以上低下している、つまり（Ｈｓ−ｘ）≧Ｈａと判定されれば、水位安定時間（例えば４５秒）の経過待ちを行い（ステップＳ１３０）、水位安定時間が経過すれば、湯張り完了水位Ｈと水位センサ２１が検出している現在検出水位Ｈａとを比較し（ステップＳ１３１）、現在検出水位Ｈａが湯張り完了水位Ｈよりｘｃｍ（例えば５ｃｍ）以上低下している、つまり（Ｈ−ｘ）≧Ｈａと判定されれば、現在検出水位Ｈａを湯張り完了水位Ｈとして更新し（ステップＳ１３２）、ステップＳ１０７に戻る。
【００２１】
また、ステップＳ１２８にて水位低下検出タイマが所定時間ｙ（５秒）を経過したと判定された場合や、ステップＳ１３１にて現在検出水位Ｈａが湯張り完了水位Ｈよりｘｃｍ（５ｃｍ）以上低下していないと判定された場合は、湯張り完了水位Ｈと水位センサ２１が検出している現在検出水位Ｈａとを比較し（ステップＳ１３３）、現在検出水位Ｈａが湯張り完了水位Ｈよりｚｃｍ（例えば４ｃｍ）以上低下している、つまり（Ｈ−ｚ）≧Ｈａと判定されれば、自動足し湯動作を実行するため、電磁弁１５をＯＮ（開弁）する（ステップＳ１３４）。次いで、水位センサ２１が検出している現在検出水位Ｈａと湯張り完了水位Ｈとを比較し（ステップＳ１３５）、Ｈａ≧Ｈとなるのを待って、現在検出水位Ｈａが湯張り完了水位Ｈを超えれば電磁弁１５をＯＦＦ（閉弁）し（ステップＳ１３６）、通常の風呂自動動作の処理に移行する（ステップＳ１３７）。すなわち、その後の湯張り完了水位の更新は行わず浴槽２７内のお湯が減った場合には自動足し湯を行い、湯温が低下した場合には自動保温を行う。
【００２２】
また、ステップＳ１３３にて現在検出水位Ｈａが湯張り完了水位Ｈよりｚｃｍ（４ｃｍ）以上低下していないと判定されれば、ステップＳ１２５に戻る。以上の処理により、湯張り完了水位更新動作が行われる。
【００２３】
このように、本実施形態の風呂給湯機においては、湯張り終了時点にて記憶する湯張り完了水位が、湯張り完了前に入浴されることにより、通常より高い水位で誤検知された場合でも、湯張り完了後の検出水位低下を監視することにより、湯張り完了水位が人の入浴による誤検出であったことを検知でき、正常の湯張り完了水位値に戻すことが可能となる。このため、自動足し湯制御により、浴槽水位が異常に上昇したり、溢れたりすることを防止することができる。
【００２４】
実施の形態２．
図５及び図６は本発明の実施の形態２に係る風呂給湯器の動作を示すフローチャートである。なお、本実施形態の機器のハード構成については、前述の実施形態１と同様であるため説明を省略する。
【００２５】
次に、本実施形態の動作について図５及び図６に基づき前述の図１及び図２を参照しながら説明するが、ステップＳ２０１〜ステップＳ２０５の動作は、前述の実施形態１のステップＳ１０１〜ステップＳ１０５の動作と同一であり、またステップＳ２０８〜ステップＳ２３９までの動作は、前述の実施形態１のステップＳ１０６〜ステップＳ１３７の動作と同一であるため、前述の実施形態１の説明を参照することができる。したがって、ここでは本実施形態の風呂給湯器の特徴とする部分についてのみ動作説明を行う。
【００２６】
本実施形態では、ステップＳ２０５終了後、すなわち湯張り完了水位Ｈが決定されて、メモリに記憶された後、初回湯張り動作か２回目以降の湯張り動作かを判断し（ステップＳ２０６）。初回湯張り動作であると判定されれば、ステップＳ２０８へ進み、浴槽２７内のお湯が完了水位Ｈより減った場合には自動足し湯を行い、湯温が低下した場合には自動保温を行う動作へ移行し、風呂自動時間をカウントするタイマをスタートさせる。
【００２７】
また、ステップＳ２０６にて２回目以降の湯張り動作であると判定されれば、今回の湯張り完了水位Ｈと前回の湯張り完了水位Ｈｃとを比較し（ステップＳ２０７）、今回の湯張り完了水位Ｈが前回の湯張り完了水位Ｈｃよりｘｃｍ（例えば５ｃｍ）以上高い、つまりＨ≧（Ｈｃ＋ｘ）と判定されれば、ステップＳ２０８へ進む。また、ステップＳ２０７にて今回の湯張り完了水位Ｈが前回の湯張り完了水位Ｈｃよりｘｃｍ（５ｃｍ）以上高くなっていないと判定されれば、ステップＳ２３９に飛び、通常の風呂自動動作の処理へ移行する。すなわち、その後の湯張り完了水位の更新は行わず浴槽２７内のお湯が減った場合には自動足し湯を行い、湯温が低下した場合には自動保温を行う。
【００２８】
このように、本実施形態の風呂給湯器においても、湯張り終了時点にて記憶する湯張り完了水位が、湯張り完了前に入浴されることにより、通常より高い水位で誤検知された場合でも、湯張り完了後の検出水位低下を監視することにより、湯張り完了水位が人の入浴による誤検出であったことを検知でき、正常の湯張り完了水位値に戻すことが可能となる。このため、自動足し湯制御により、浴槽水位が異常に上昇したり、溢れたりすることを防止できる。
また、２回目以降の湯張り終了時点で、前回の湯張り完了水位との水位比較を行うため、水位低下の誤検出による湯張り完了水位更新を確実に防止することができる。
【００２９】
実施の形態３．
図７及び図８は本発明の実施の形態３に係る風呂給湯器の動作を示すフローチャートである。なお、本実施形態の機器のハード構成についても、前述の実施形態１と同様であるため説明を省略する。
【００３０】
次に、本実施形態の動作について、図７及び図８に基づき前述の図１及び図２を参照しながら説明するが、ステップＳ３０１〜ステップＳ３２１の動作は、前述の実施形態２のステップＳ２０１〜ステップＳ２２１の動作と同一であり、またステップＳ３２３〜ステップＳ３３３までの動作は、前述の実施形態２のステップＳ２２３〜ステップＳ２３３の動作と同一であり、さらにステップＳ３３５〜ステップＳ３３９までの動作は、前述の実施形態２のステップＳ２３５〜ステップＳ２３９の動作と同一であるため、前述の実施形態１及び実施形態２の説明を参照することができる。したがって、ここでは本実施形態の風呂給湯器の特徴とする部分についてのみ動作説明を行う。
【００３１】
本実施形態では、ステップＳ３２１にて現在検出水位Ｈａが湯張り完了水位Ｈよりｘｃｍ（例えば５ｃｍ）以上低下している、つまり（Ｈ−ｘ）≧Ｈａと判定されると、現在検出水位Ｈａを湯張り完了水位Ｈとして更新した後（ステップＳ３２２）、ステップＳ３３９に飛び、その後の湯張り完了水位の更新は行わず浴槽２７内のお湯が減った場合には自動足し湯を行い、湯温が低下した場合には自動保温を行う通常の風呂自動動作の処理へ移行する。
【００３２】
また、ステップＳ３３３にて現在検出水位Ｈａが湯張り完了水位Ｈよりｘｃｍ（例えば５ｃｍ）以上低下している、つまり（Ｈ−ｘ）≧Ｈａと判定されると、ステップＳ３３４にて現在検出水位Ｈａを湯張り完了水位Ｈとして更新した後、ステップＳ３３９に飛び、その後の湯張り完了水位の更新は行わず浴槽２７内のお湯が減った場合には自動足し湯を行い、湯温が低下した場合には自動保温を行う通常の風呂自動動作の処理へ移行する。
【００３３】
このように、本実施形態の風呂給湯器においても、湯張り終了時点にて記憶する湯張り完了水位が、湯張り完了前に入浴されることにより、通常より高い水位で誤検知された場合でも、湯張り完了後の検出水位低下を監視することにより、湯張り完了水位が人の入浴による誤検出であったことを検知でき、正常の湯張り完了水位値に戻すことが可能となる。このため、自動足し湯制御により、浴槽水位が異常に上昇したり、溢れたりすることを防止できる。
また、一度湯張り完了水位の更新を行うと、２回目以降の水位低下を検出しても湯張り完了水位の再更新を行わないため、水位低下の誤検出による湯張り完了水位更新をより確実に防止することができる。
【００３４】
実施の形態４．
図９及び図１０は本発明の実施の形態４に係る風呂給湯器の動作を示すフローチャートである。なお、本実施形態の機器のハード構成についても、前述の実施形態１と同様であるため説明を省略する。
【００３５】
次に、本実施形態の動作について、図９及び図１０に基づき前述の図１及び図２を参照しながら説明するが、ステップＳ４０１〜ステップＳ４０８の動作は、前述の実施形態３のステップＳ３０１〜ステップＳ３０８の動作と同一であり、またステップＳ４１２〜ステップＳ４４１までの動作は、前述の実施形態３のステップＳ３１０〜ステップＳ３３９の動作と同一であるため、前述の実施形態１乃至実施形態３の説明を参照することができる。したがって、ここでは本実施形態の風呂給湯器の特徴とする部分についてのみ動作説明を行う。
【００３６】
本実施形態では、ステップＳ４０８終了後、すなわち浴槽２７内のお湯が完了水位Ｈより減った場合には自動足し湯を行い、湯温が低下した場合には自動保温を行う風呂自動時間をカウントするタイマがスタートした後、続いて水位監視時間をカウントさせるタイマをスタートさせ（ステップＳ４０９）、その後、ステップＳ４１０に進んで操作部９にて予め設定された風呂自動時間（例えば１〜８時間）が経過したかを判断する。そして、ステップＳ４１０にて風呂自動時間が設定風呂自動時間を超えていないと判定されれば、次に水位監視時間タイマが所定時間（例えば３０分）を超えているかを判断し（ステップＳ４１１）、水位監視時間タイマが所定時間を超えていないと判定されれば、ステップＳ４１２に進んで保温動作タイマをスタートさせる。
【００３７】
また、ステップＳ４１１にて水位監視時間タイマが所定時間（３０分）を超えていると判定されれば、ステップＳ４４１に飛び、その後の湯張り完了水位の更新は行わず浴槽２７内のお湯が減った場合には自動足し湯を行い、湯温が低下した場合には自動保温を行う通常の風呂自動動作の処理へ移行する。
【００３８】
このように、本実施形態の風呂給湯器においても、湯張り終了時点にて記憶する湯張り完了水位が、湯張り完了前に入浴されることにより、通常より高い水位で誤検知された場合でも、湯張り完了後の検出水位低下を監視することにより、湯張り完了水位が人の入浴による誤検出であったことを検知でき、正常の湯張り完了水位値に戻すことが可能となる。このため、自動足し湯制御により、浴槽水位が異常に上昇したり、溢れたりすることを防止できる。
また、水位監視時間が所定時間（３０分）経過した後に、水位低下を検出しても湯張り完了水位の更新を行わないため、湯張り中の入浴による水位低下の検出をより精度良く検出でき、水位低下の誤検出による湯張り完了水位更新をより確実に防止することができる。
【図面の簡単な説明】
【００３９】
【図１】本発明の実施形態１に係る風呂給湯機の制御回路を示すブロック図である。
【図２】実施形態１に係る風呂給湯機のシステム構成図である。
【図３】実施形態１に係る風呂給湯機の動作を示すフローチャートである。
【図４】実施形態１に係る風呂給湯機の動作を示すフローチャートである。
【図５】本発明の実施形態２に係る風呂給湯機の動作を示すフローチャートである。
【図６】実施形態２に係る風呂給湯機の動作を示すフローチャートである。
【図７】本発明の実施形態３に係る風呂給湯機の動作を示すフローチャートである。
【図８】実施形態３に係る風呂給湯機の動作を示すフローチャートである。
【図９】本発明の実施形態４に係る風呂給湯機の動作を示すフローチャートである。
【図１０】実施形態４に係る風呂給湯機の動作を示すフローチャートである。
【符号の説明】
【００４０】
２  貯湯槽（給湯手段）、８  制御装置、１０  第１湯水混合弁（給湯制御手段）、１４  第２湯水混合弁（給湯制御手段）、１５  電磁弁（給湯制御手段）、２１  水位センサ、２７  浴槽。
【図１】
2006057884.tif 000003
【図２】
2006057884.tif 000004
【図３】
2006057884.tif 000005
【図４】
2006057884.tif 000006
【図５】
2006057884.tif 000007
【図６】
2006057884.tif 000008
【図７】
2006057884.tif 000009
【図８】
2006057884.tif 000010
【図９】
2006057884.tif 000011
【図１０】
2006057884.tif 000012